(57)【要約】【課題】開口部及びキャップの設置に伴ってキャラクター等の頭部の一部が失われることがないために、形態の趣向性が損なわれることがなく、飲食後に容器を飾り物等として利用するにも適した飲食品用容器を提供することを課題とする。【解決手段】容器本体１が、キャラクター、動物、人物、その他の頭部２を備える対象物を模して成形された飲食品用容器であって、開口部３及びそこを開閉するキャップ４が、前記対象物の頭部２とは反対側の端面に配備される。一実施形態においては、頭部２側の端面に、自立補助手段が設けられる。【選択図】図１
2017065700.tif 000002
【特許請求の範囲】
【請求項１】
容器本体が、キャラクター、動物、人物、その他の頭部を備える対象物を模して成形された飲食品用容器であって、開口部及びそこを開閉するキャップが、前記対象物の前記頭部とは反対側の端面に配備されることを特徴とする飲食品用容器。
【請求項２】
前記容器本体の自立補助手段として、前記頭部側の端面の一部に前記頭部の形状を損なわない範囲で平坦部が形成される、請求項１に記載の飲食品用容器。
【請求項３】
前記容器本体の自立補助手段として、突部が複数形成される、請求項１に記載の飲食品用容器。
【発明の詳細な説明】
【技術分野】
【０００１】
本発明は飲食品用容器に関するものであり、より詳細には、飲料や菓子等の食品を内包して販売するための容器であって、需要者の購買意欲をそそる形態に成形されていて、飲食品の飲食後に、飾り物等として利用するにも適した飲食品用容器に関するものである。
【背景技術】
【０００２】
飲食品用容器は、適宜凹凸を設けた単なるビン形状や筒形状のものが多いが、需要者の購買意欲をそそることを目的に、容器自体がキャラクターを模した形状を呈するように成形されたものも少なくない。その場合、飲食品を出し入れするための開口部並びに開口部を開閉するためのキャップは、一般に、キャラクター等の頭部に配置される（特開２０００−３１８７２０号公報、実用新案登録第３０８５０７５号公報等参照）。
【０００３】
このように開口部及びキャップをキャラクター等の頭部に配置した場合は、必然的に、当該キャラクター等の頭部の一部が開口部及びキャップに取られるため、外観に違和感が生じて形態の趣向性が損なわれる結果となる。従って、飲食品の飲食後に、容器を飾り物等として利用するには適さない。
【先行技術文献】
【特許文献】
【０００４】
【特許文献１】特開２０００−３１８７２０号公報
【特許文献２】実用新案登録第３０８５０７５号公報
【発明の概要】
【発明が解決しようとする課題】
【０００５】
上述したように、従来のキャラクター等を模した形状の飲食品用容器の場合は、開口部及びキャップがキャラクター等の頭部に配置されるために、当該キャラクター等の頭部の一部が失われて外観が損なわれ、違和感が生じて形態の趣向性が損なわれるという問題があった。
【０００６】
そこで、本発明はそのような問題のない、即ち、開口部及びキャップの設置に伴ってキャラクター等の頭部の一部が失われることがないために、形態の趣向性が損なわれることがなく、飲食後に容器を飾り物等として利用するにも適した飲食品用容器を提供することを課題とする。
【課題を解決するための手段】
【０００７】
上記課題を解決するための請求項１に記載の発明は、容器本体が、キャラクター、動物、人物、その他の頭部を備える対象物を模して成形された飲食品用容器であって、開口部及びそこを開閉するキャップが、前記対象物の前記頭部とは反対側の端面に配備されることを特徴とする飲食品用容器である。
【０００８】
一実施形態においては、前記頭部側の端面に、自立補助手段が設けられる。その自立補助手段としては、前記頭部の一部に前記頭部の形状を損なわない範囲で形成される平坦部であり、あるいは、複数形成される突部である。
【発明の効果】
【０００９】
本発明に係る飲食品用容器は上述したとおりであって、開口部及びそれを開閉するためのキャップが、キャラクター等の頭部側にではなく脚部側に設けられるため、キャラクター等の頭部の一部が失われて形態の趣向性が殺がれるおそれがなく、飲食後にキャップを下側にした自立状態で飾り物等として利用するに適するという効果があり、その場合において、キャップが底部となることで自立安定性が確保される効果がある。
【００１０】
請求項２に記載の発明の場合は、キャップを上側にした飲食時における自立を可能にし、且つ、その際の自立安定性が助長される効果がある。
【図面の簡単な説明】
【００１１】
【図１】本発明に係る飲食品用容器の一実施形態の飲食時における自立状態を示す正面図である。
【図２】本発明に係る飲食品用容器の一実施形態の飾り物としての使用時における自立状態を示す正面図である。
【図３】図２におけるＡ−Ａ線断面図である。
【発明を実施するための形態】
【００１２】
本発明に係る飲食品用容器を添付図面に依拠して説明する。本発明に係る飲食品用容器は、容器本体１が、キャラクター、動物、人物、その他の頭部２を備える対象物を模して成形される飲食品用容器であって、開口部３及びそこを開閉するキャップ４が、頭部２とは反対側の端面に配備されることを特徴とするものである。
【００１３】
容器本体１は、キャラクター、動物、人物、その他の頭部２を備える対象物を模していて、需要者に興味を持たせ、その購買意欲をそそり得る形状とされる。図示した例では、容器本体１は漫画的に表現したクマの形態に成形されている。図１は、その容器本体１の飲食時における正立状態を示しており、その場合は、一般の容器の場合と同様に開口部３及びキャップ４が上にくるため、クマは逆立ち状態となる。
【００１４】
図１には、キャップ４のサイズの異なる２種の容器本体１が示されている。（Ａ）に示す容器本体１は主に飲料用であって、この場合の開口部３は細く、キャップ４として小さなものが用いられ、（Ｂ）に示す容器本体１は、主にポップコーン等の粒状、豆状等の菓子用であって、この場合の開口部３は広く、キャップ４も大きなものが用いられている。
【００１５】
一実施形態においては、上記逆立ち状態において自立可能にするために、頭部２に自立補助手段が設けられる。この自立補助手段としては、頭部２の上面に、外観を損ねない範囲の大きさの平坦部を形成することが考えられ、あるいは、複数の突部５（耳部分を利用することもできる）を設けたりすることが考えられる（図３参照）。このいずれの場合においても、クマの頭部２の形状を損なわないようにすることが必要となる。
【００１６】
図２及び図３は、空の状態の又は中身の入った状態の容器本体１を、飾り物等として起立させた状態を示している。その場合の容器本体１、即ち、クマは正立状態となり、キャップ４は脚部の下に位置することになるので、その存在が容器本体１に表現されたクマの姿態に影響を及ぼすことはない。従って、容器本体１に立体表現されたキャラクター等の頭部２の一部が失われて形態の趣向性が殺がれるおそれがないので、飾り物等として利用するにも適したものとなる。
【００１７】
なお、図示した例のキャップ２はネジ込み式であるが、これに限られる訳ではなく、嵌めこみ式等のものであってもよいことは言うまでもない。
【符号の説明】
【００１８】
１    容器本体
２    頭部
３    開口部
４    キャップ
５    突部
【図１】
2017065700.tif 000003
【図２】
2017065700.tif 000004
【図３】
2017065700.tif 000005